(57)【要約】【課題】波浪による裏込土の流出に対する防止効果に優れており、施工が容易であり、かつ部分的な破損によって全体が崩れる虞がなく、安定性に優れたコンクリートマットレスを提供する。【解決手段】コンクリート製のパネルを用い、該パネル側部に設けたヒンジ部によって隣接する複数のパネルを平面状に折曲げ自在に相互に連結して形成したとを特徴とするコンクリートマットレスであって、例えば、コンクリート製パネルの側部に設けた嵌合凹部の両端面に係合凹部が形成されており、該パネルに接合される他のパネル側部には上記嵌合凹部に挿入される嵌合凸部が形成されており、該嵌合凸部の端面に上記係合凹部に嵌合する係合凸部が形成されており、上記嵌合凹部の係合凹部および上記嵌合凸部の係合凸部によって各パネルのヒンジ部が形成されているコンクリートマットレス。【選択図】図１
2007297778.tif 000002
【特許請求の範囲】
【請求項１】
コンクリート製のパネルを用い、該パネル側部に設けたヒンジ部によって隣接する複数のパネルを平面状に折曲げ自在に相互に連結して形成したことを特徴とするコンクリートマットレス。
【請求項２】
コンクリート製パネルの側部に設けた嵌合凹部の両端面に係合凹部が形成されており、該パネルに接合される他のパネル側部には上記嵌合凹部に挿入される嵌合凸部が形成されており、該嵌合凸部の端面に上記係合凹部に嵌合する係合凸部が形成されており、上記嵌合凹部の係合凹部および上記嵌合凸部の係合凸部によって各パネルのヒンジ部が形成されている請求項１に記載するコンクリートマットレス。
【請求項３】
請求項２に記載するパネルのヒンジ部において、嵌合凹部の係合凹部に代えて、嵌合凹部に係合凸部が形成されており、嵌合凸部の係合凸部に代えて、嵌合凸部に係合凹部が形成されており、上記嵌合凹部の係合凸部および上記嵌合凸部の係合凹部によって上記ヒンジ部が形成されているコンクリートマットレス。
【請求項４】
パネル片側に嵌合凹部を有する外側パネルＡ、Ｂと、パネル両側部に嵌合凹部を有する内側パネルＣと、該内側パネルＣを軸方向に面して二分割した形状の側端パネルＤ、Ｅとが用いられており、外側パネルＡの嵌合凹部の端面には係合凹部が形成されており、一方、外側パネルＢの嵌合凹部の端面には係合凸部が形成されており、内側パネルＣのパネルＡ側の嵌合凹部両端面には係合凸部が形成されており、内側パネルＣのパネルＢ側の嵌合凹部両端面には係合凹部が形成されており、側端パネルＤ、Ｅは嵌合凸部の両側端面に係合凹部と係合凸部がおのおの形成されており、側端パネルＤと側端パネルＥは互いに左右対称形状であり、各パネルの係合凹部に隣接するパネルの係合凸部が嵌着することによって各パネルが折曲げ自在に平面状に連結されている請求項２または３に記載するコンクリートマットレス。
【請求項５】
外側パネルＡの嵌合凹部に内側パネルＣの前半分と該内側パネルＣに直列した他の内側パネルＣの後半分とが一体に嵌合し、各パネルＣの係合凸部が上記外側パネルＡの係合凹部に嵌着することによって外側パネルＡと内側パネルＣとがヒンジ部で連結され、該内側パネルＣの嵌合凹部に外側パネルＢの前半分と該外側パネルＢに直列した他の外側パネルＢの後半分とが一体に嵌合し、各パネルＢの係合凸部が上記内側パネルＣの係合凹部に嵌着することによって内側パネルＣと外側パネルＢとがヒンジ部で連結され、各パネルが折曲げ自在に平面状に連結されている請求項４に記載するコンクリートマットレス。
【請求項６】
請求項５において、隣接する内側パネルＣどうしの嵌合凹部と嵌合凸部とが嵌合して複数列の内側パネルＣが連結され、その両側に外側パネルＡと外側パネルＢが連結されている請求項５に記載するコンクリートマットレス。
【請求項７】
コンクリート製の各パネルの表裏面を貫通する孔が設けられている請求項１〜６の何れかに記載するコンクリートマットレス。
【発明の詳細な説明】
【技術分野】
【０００１】
本発明は、複数のコンクリートパネルを平面状に接合してなるコンクリートマットレスに関する。
【０００２】
海洋に面した護岸あるいは岸壁においては、土圧を軽減するため構造物背後に裏込石を施工し、その表面に埋設土の吸い出し防止のために防砂シートを敷設するのが一般的である。その一例として、埋立護岸の裏込め工の法面に敷設され、埋立土砂の漏出を防止する合成樹脂繊維織布からなる埋立用防砂シートにおいて、合成樹脂繊維織布の表面に海水浸漬部位より上方の陸上部分に透水可能なカーボンブラックを混合した塩化ビニル樹脂被膜を形成することによって、紫外線暴露による防砂シート織布の劣化を防止し、防砂シート の耐候性を向上させた防砂シートが知られている（特許文献１）。
【０００３】
近年、防砂シートが破損する事例が見られ、その原因として、(イ)埋設土施工に際しての土塊の衝撃、(ロ)捨て石マウンドを通過した波浪による水圧があげられている。現在使用されている防砂シートは、引張強度は大きいものの剪断強度が小さいために土塊の衝撃や波浪によって衝撃が繰り返されると破損しやすい。しかも、防砂シートの敷設位置が裏込石の表面であるため、防砂シートが弱いとその裏込め部分の表面全体が材質的な弱点となり、護岸および岸壁構造の弱点につながる懸念がある。
【０００４】
一方、コンクリートブロックを用いた護岸工法が知られている。例えば、岡崎式護岸工法として、コンクリート製の単床ブロックを用い、このブロックに２個の孔をあけ、上下に接するブロックの孔を相互にずらして鉄線を通じ、多数のブロックをシート状に連結して護岸の法面や川原表面に敷設する工法が知られている。この工法によれば、数百メートルに及ぶ一体のマットレスを形成して敷設することができ、護岸の形状に応じて容易に適用でる利点を有している。しかし、この施工方法は多数のブロックの孔に鉄線を通じる作業が煩雑であり、しかも多数のブロックを一本ないし数本の鉄線で連結しているので、鉄線が部分的に切断しても多数のブロックの連結が外れてコンクリートマットレス全体が崩れると云う問題がある。
【特許文献１】特開平０９−１６５７３１号
【発明の開示】
【発明が解決しようとする課題】
【０００５】
本発明は、従来の護岸工法における防砂シートやコンクリートブロック敷設工法にみられた上記問題を解決したものであり、波浪による裏込土の流出に対する防止効果に優れており、かつ施工が容易であり、しかも個々の連結が独立しているので部分的な破損によって全体が崩れる虞がなく、安定性に優れたコンクリートマットレスを提供する。
【課題を解決するための手段】
【０００６】
本発明によれば、(１)コンクリート製のパネルを用い、該パネル側部に設けたヒンジ部によって隣接する複数のパネルを平面状に折曲げ自在に相互に連結して形成したことを特徴とする技術構成によって上記課題を解決したコンクリートマットレスが提供される。
【０００７】
本発明は、上記(１)の構成に加えて、（２）コンクリート製パネルの側部に設けた嵌合凹部の両端面に係合凹部が形成されており、該パネルに接合される他のパネル側部には上記嵌合凹部に挿入される嵌合凸部が形成されており、該嵌合凸部の端面に上記係合凹部に嵌合する係合凸部が形成されており、上記嵌合凹部の係合凹部および上記嵌合凸部の係合凸部によって各パネルのヒンジ部が形成されているコンクリートマットレスを含む。
【０００８】
本発明は、上記(２)の構成に加えて、パネルのヒンジ部において、嵌合凹部の係合凹部に代えて、嵌合凹部に係合凸部が形成されており、嵌合凸部の係合凸部に代えて、嵌合凸部に係合凹部が形成されており、上記嵌合凹部の係合凸部および上記嵌合凸部の係合凹部によって上記ヒンジ部が形成されているコンクリートマットレスを含む。
【０００９】
本発明は、上記(２)または上記(３)の構成に加えて、（４）パネル片側に嵌合凹部を有する外側パネルＡ、Ｂと、パネル両側部に嵌合凹部を有する内側パネルＣと、該内側パネルＣを軸方向に面して二分割した形状の側端パネルＤ、Ｅとが用いられており、外側パネルＡの嵌合凹部の端面には係合凹部が形成されており、一方、外側パネルＢの嵌合凹部の端面には係合凸部が形成されており、内側パネルＣのパネルＡ側の嵌合凹部両端面には係合凸部が形成されており、内側パネルＣのパネルＢ側の嵌合凹部両端面には係合凹部が形成されており、側端パネルＤ、Ｅは嵌合凸部の両側端面に係合凹部と係合凸部がおのおの形成されており、側端パネルＤと側端パネルＥは互いに左右対称形状であり、各パネルの係合凹部に隣接するパネルの係合凸部が嵌着することによって各パネルが折曲げ自在に平面状に連結されているコンクリートマットレスを含む。
【００１０】
本発明は、上記(４)の構成に加えて、（５）外側パネルＡの嵌合凹部に内側パネルＣの前半分と該内側パネルＣに直列した他の内側パネルＣの後半分とが一体に嵌合し、各パネルＣの係合凸部が上記外側パネルＡの係合凹部に嵌着することによって外側パネルＡと内側パネルＣとがヒンジ部で連結され、該内側パネルＣの嵌合凹部に外側パネルＢの前半分と該外側パネルＢに直列した他の外側パネルＢの後半分とが一体に嵌合し、各パネルＢの係合凸部が上記内側パネルＣの係合凹部に嵌着することによって内側パネルＣと外側パネルＢとがヒンジ部で連結され、各パネルが折曲げ自在に平面状に連結されているコンクリートマットレスを含む。
【００１１】
本発明は、上記(５)に加えて、（６）隣接する内側パネルＣどうしの嵌合凹部と嵌合凸部とが嵌合して複数列の内側パネルＣが連結され、その両側に外側パネルＡと外側パネルＢが連結されているコンクリートマットレスを含む。
【００１２】
本発明は、上記(１)〜(６)の何れかに加えて、（７）コンクリート製の各パネルの表裏面を貫通する孔が設けられているコンクリートマットレスを含む。
【発明の効果】
【００１３】
本発明のコンクリートマットレスは、コンクリート製のパネルを用い、該パネル側部に設けたヒンジ部によって隣接する複数のコンクリートパネルを平面状に折曲げ自在に相互に連結して形成されているので以下の効果を有する。
(イ)コンクリート製のパネルによって形成されているので、合成樹脂製シートなどよりも格段に耐久性があり、かつ重量が大きいので安定である。
(ロ)敷設される捨石マウンドあるいは地表の形状に対応して折曲げ自在であり、起伏の多い面や変形な面でも安定に施工することができる。
(ハ)鉄線を用いずにコンクリートパネル側面に形成したヒンジ部によって相互のパネルが連結されているので連結部分が強固であり、耐久性に富む。
(ニ)マットレスを構成するパネルの形状が単純であり、かつ連結方法が簡単であるので、製作および敷設施工が容易であり、施工費用も安価である。
(ホ)波力および流れの力の対して安定性が高い。
(ヘ)急勾配の斜面に施工しても安定性が良い。
(ト)パネル重量を大きくすることによって根固め工としても利用することができる。
(チ)陸上の施設として、インターロッキングなどの簡易舗装に適用することができる。
【発明を実施するための最良の形態】
【００１４】
以下、本発明のコンクリートマットレスを図面に示す実施例を参照して具体的に説明する。図示するコンクリートマットレスは本発明の一例であり、図１はその平面図、図２は図１に示すコンクリートマットレスに用いるコンクリート製パネルの連結前の展開図、図３は各パネルの平面図である。なお、本発明において、パネル側部に形成したヒンジ部の軸方向に対して、これに対向した面を端面と云い、この軸方向に沿った面を側面と云う。また、各パネルについて図中の上側を前半部と云い、下側を後半部と云う。
【００１５】
図示するコンクリートマットレスは、コンクリート製のパネルＡ、Ｂ、Ｃ、Ｄによって形成されており、各パネル側部に設けたヒンジ部によって隣接する複数のパネルＡ、Ｂ、Ｃ、Ｄを平面状に折曲げ自在に相互に連結して形成されている。具体的には、コンクリート製のパネル側部に設けた嵌合凹部の両端面に係合凹部が形成されており、該パネルに接合される他のパネル側部には上記嵌合凹部に挿入される嵌合凸部が形成されており、該嵌合凸部の端面に上記係合凹部に嵌合する係合凸部が形成されており、上記嵌合凹部の係合凹部および上記嵌合凸部の係合凸部によって各パネルのヒンジ部が形成されている。該ヒンジ部によって複数のコンクリート製パネルが平面状に連結されることによってコンクリートマットレスが形成されている。
【００１６】
なお、各パネルの上記ヒンジ部は、嵌合凹部の係合凹部に代えて、嵌合凹部に係合凸部が形成されており、嵌合凸部の係合凸部に代えて、嵌合凸部に係合凹部が形成されており、上記嵌合凹部の係合凸部および上記嵌合凸部の係合凹部によって上記ヒンジ部が形成されている態様を含む。
【００１７】
図示する外側パネルＡはその片側側面に嵌合凹部１０が形成されており、この嵌合凹部１０の端面には係合凹部１１、１１が形成されている。また、この嵌合凹部１０を設けることによってパネル前半部およびパネル後半部の片側は側方に張り出した形状になり、この部分が隣接する内側パネルＣまたは側端パネルＤ、Ｅに対して嵌合凸部１２、１２になる。
【００１８】
同様に、外側パネルＢはその片側側面に嵌合凹部２０が形成されており、この嵌合凹部２０の端面には係合凸部２１、２１が形成されている。また、この嵌合凹部２０を設けることによってパネル前半部およびパネル後半部の片側は側方に張り出した形状になり、この部分が隣接する内側パネルＣまたは側端パネルＤ、Ｅに対して嵌合凸部２２、２２になる。
【００１９】
外側パネルＡと外側パネルＢの間には内側パネルＣが設けられている。内側パネルＣはパネル両側部に嵌合凹部３０が形成されている。嵌合凹部３０のうち、パネルＡ側の嵌合凹部３０の両端面には係合凸部３１、３１が形成されており、パネルＢ側の嵌合凹部３０の両端面には係合凹部３２、３２が形成されている。さらに、この嵌合凹部３０を設けることによってパネル前半部およびパネル後半部の両側は側方に張り出した形状になり、この部分が隣接する外側パネルＡ、Ｂまたは他の内側パネルＣに対して嵌合凸部３３、３３になる。
【００２０】
図示するコンクリートマットレスの前端部には側端パネルＤが設けられている。側端パネルＤは上記内側パネルＣを軸方向に対して二分割した形状を有しており、その後半部は両側に張り出した嵌合凸部４０を形成している。この嵌合凸部４０の外側に面するパネルＡ側の端面には係合凹部４１が形成されており、パネルＢ側の端面には係合凸部４２が形成されている。
【００２１】
同様に、コンクリートマットレスの後端部には側端パネルＥが設けられている。側端パネルＥは上記内側パネルＣを軸方向に対して二分割した形状を有しており、その前半部は両側に張り出した嵌合凸部５０を形成している。この嵌合凸部５０の外側に面するパネルＡ側の端面には係合凹部５１が形成されており、パネルＢ側の端面には係合凸部５２が形成されている。側端パネルＤと側端パネルＥは互いに左右対称の形状を有している。
【００２２】
上記各パネルの嵌合凹部１０、２０、３０と嵌合凸部１２、２２、３３、４０、５０は互いに折曲げ自在な隙間を保って嵌合するように形成されており、係合凸部２１、３１、４１、５１は互いに折曲げ自在な隙間を保って嵌合するように形成されている。一例として、図４に示すように、係合凸部Ｔをパネルに沿った矩形断面に形成し、一方、係合凹部Ｓは縦方向の差込み溝Ｓ１と横方向の係合溝Ｓ２とが連なった形状とし、上記係合凸部Ｔを縦に差込み溝Ｓ１に挿入した後にパネルを９０度回転して係合凸部Ｔを横向きにして係合溝Ｓ２に嵌着させるように形成されている。この係合構造によれば、係合凸部Ｔは係合溝Ｓ２から外れ難く、かつ係合溝Ｓ２を係合凸部Ｔより大きく形成することによって、パネルを回動自在（折曲げ自在）に連結することができる。
【００２３】
図１に示すように、複数(図中３枚)の外側パネルＡと外側パネルＢとがおのおの直列に突き合わせて両側に並設されており、この外側パネルＡの列と外側パネルＢの列の間に、図中２枚の内側パネルＣと図中３枚の内側パネルＣの列とが交互に並設されている。図中２枚の内側パネルＣの列には、前端に側端パネルＤと後端に側端パネルＥとが設けられている。
【００２４】
図１および図２に示すように、上記外側パネルＡの嵌合凹部１０に対して、内側パネルＣの前半部と該内側パネルＣに直列に接する他の内側パネルＣの後半部とが一体に組み合わされて形成された嵌合凸部３３が嵌合し、内側パネルＣの係合凸部３１が外側パネルＡの係合凹部１１に嵌着することによって外側パネルＡと内側パネルＣとがヒンジ部で折曲げ自在に連結されている。
【００２５】
同様に、上記外側パネルＢの嵌合凹部２０に対して、内側パネルＣの前半部と該内側パネルＣに直列に隣接した他の内側パネルＣの後半部とが一体に組み合わされて形成された嵌合凸部３３が嵌合し、内側パネルＣの係合凹部３２が外側パネルＢの係合凸部２１に嵌着することによって外側パネルＢと内側パネルＣとがヒンジ部で折曲げ自在に連結されている。
【００２６】
内側パネルＣの複数の列は、軸方向に面して二分割した長さで交互に前後に位置をずらして配置されており、内側パネルＣの嵌合凹部３０に対して、内側パネルＣの前半部と該内側パネルＣに直列に接する他の内側パネルＣの後半部とが一体に組み合わされて形成された嵌合凸部３３が嵌合し、内側パネルＣの係合凹部３２に隣接する他の内側パネルＣの係合凸部３１が嵌着することによって、内側パネルＣが相互に折曲げ自在に連結されている。
【００２７】
側端パネルＤ、Ｅに対して外側パネルＡ、Ｂおよび内側パネルＣとの連結も各パネルの上記連結構造と同様に形成されている。
【００２８】
以上のように、本発明のコンクリートマットレスは、パネルがパネル毎にヒンジ部によって相互に連結されており、鉄筋によって連結されていない。従って、一部の鉄筋が切れることによってマットレス全体が壊れるなどの欠点がなく、安定性が高い。また、パネルの連結はヒンジ部が形成されれば良く、構造上の制約がないので、任意の数のパネルを連結することができる。さらに、各パネルが軸方向に対向した方向に折曲げ自在に連結されているので、図５に示すように、起伏のある斜面などに対しても安定に設置することができる。
【００２９】
本発明のコンクリートマットレスは、コンクリート製の各パネルにその表裏面を貫通する孔（図示省略）が設けられているコンクリートマットレスを含む。この貫通孔は複数の孔をパネル表裏面に均一に設けると良い。孔の合計面積はパネル表面または裏面の１０％程度が適当である。このような貫通孔を設けることによって、海の防波堤や護岸の根固めに適用する場合には、マットレスに作用する揚圧力（下から持ち上げる力）を低減する効果を得ることができる。
【図面の簡単な説明】
【００３０】
【図１】コンクリートマットレスの平面図
【図２】コンクリート製パネルの連結前の展開図
【図３】各パネルの平面図
【図４】係合凸部と係合凹部の一例を示す部分概略斜視図
【図５】コンクリートマットレスの敷設状態を示す概念図
【符号の説明】
【００３１】
Ａ−外側パネル、Ｂ−外側パネル、Ｃ−内側パネル、Ｄ−側端パネル、Ｅ−側端パネル、１０−嵌合凹部、１１−係合凹部、１２−嵌合凸部、２０−嵌合凹部、２１−係合凸部、２２−嵌合凸部、３０−嵌合凹部、３１−係合凸部、３２−係合凹部、３３−嵌合凸部、４０−嵌合凸部、４１−係合凸部、４２−係合凹部、５０−嵌合凹部、５１−係合凸部、５２−係合凹部
【図１】
2007297778.tif 000003
【図２】
2007297778.tif 000004
【図３】
2007297778.tif 000005
【図４】
2007297778.tif 000006
【図５】
2007297778.tif 000007